(57)【要約】【課題】制御端末器が内蔵するリレーの現在の開閉回数を確認することができる遠隔監視制御システムを提供する。【解決手段】制御端末器３に、内蔵するリレー３１の開閉回数を計数する計数部３３と、ワイヤレス信号により送信されたアドレスデータの確認要求をワイヤレス受信部３６ｂが受信すると、アドレス記憶部３９に格納されたアドレスデータとともに計数部３３の計数した開閉回数をワイヤレス送信部３６ａから送信させる制御部３７とを設ける。一方、アドレス設定器４には、表示器４１と、アドレスデータの確認操作を行うための操作部４２と、操作部４２の操作に応じてワイヤレス送信部４３ａからアドレスデータの確認要求をワイヤレス信号により送信させるとともに、ワイヤレス信号により送信されたアドレスデータおよび開閉回数をワイヤレス受信部４３ｂが受信すると受信したアドレスデータおよび開閉回数を表示器４１に表示させる制御部４４とを設ける。【選択図】図１
2008085506.tif 000002
【特許請求の範囲】
【請求項１】
スイッチを備え前記スイッチに対応させて固有のアドレスが設定された操作端末器と、負荷への電源供給を入切するリレーを備え前記リレーに対応させて固有のアドレスが設定された制御端末器と、前記各端末器が信号線を介して接続され各端末器との間で時分割多重伝送方式により伝送信号を授受し、前記スイッチが操作されたときに操作端末器から受け取る監視データに基いてリレーを制御する制御データを生成するとともに、操作されたスイッチに対し予め対応関係が設定されたリレーを有する制御端末器へ前記制御データを伝送する伝送制御装置と、前記各端末器にそれぞれ設定されるアドレスデータを前記各端末器の外部からワイヤレス信号によって与え、各端末器に設けた書き換え可能なアドレス記憶部にアドレスデータを格納させるアドレス設定器とを備える遠隔監視制御システムであって、
前記制御端末器に、ワイヤレス信号を受信する第１のワイヤレス受信部と、ワイヤレス信号を送信する第１のワイヤレス送信部と、内蔵するリレーの開閉回数を計数する計数部と、ワイヤレス信号により送信されたアドレスデータの確認要求を第１のワイヤレス受信部が受信するとアドレス記憶部に格納されたアドレスデータとともに計数部の計数した開閉回数を第１のワイヤレス送信部から送信させる第１の送信制御部とを設けるとともに、
アドレス設定器に、ワイヤレス信号を受信する第２のワイヤレス受信部と、ワイヤレス信号を送信する第２のワイヤレス送信部と、表示画面を有する表示器と、アドレスデータの確認操作を行うための操作部と、当該操作部の操作に応じて第２のワイヤレス送信部からアドレスデータの確認要求をワイヤレス信号により送信させる第２の送信制御部と、ワイヤレス信号により送信されたアドレスデータおよび開閉回数を第２のワイヤレス受信部が受信すると受信したアドレスデータおよび開閉回数を表示器に表示させる表示制御部とを設けたことを特徴とする遠隔監視制御システム。
【請求項２】
前記制御端末器の器体の表面に寿命確認スイッチと寿命表示ランプとを設けるとともに、寿命確認スイッチの操作に応じて寿命表示ランプに駆動電流を供給するランプ駆動部を制御端末器に設け、ランプ駆動部は、開閉回数が所定の基準値を越えると、表示ランプが点滅する頻度を切り換える制御か、又は、表示ランプの点滅状態と点灯状態を切り換える制御の何れかを行うことを特徴とする請求項１記載の遠隔監視制御システム。
【発明の詳細な説明】
【技術分野】
【０００１】
本発明は、リレーを内蔵した制御端末器を備える遠隔監視制御システムに関するものである。
【背景技術】
【０００２】
従来、リレーと、リレーを制御する制御ユニットと、リレーと制御ユニットとの間に接続されるデータ変換モジュールとを備え、データ変換モジュールが、制御ユニットとリレーとの間で交換される信号のデータ形式を変換することによって、制御ユニットから各リレーの監視および制御を行えるようにした監視制御システムが提供されている（例えば特許文献１参照）。
【０００３】
また、リレーを用いて負荷への電源供給を入切するシステムとしては、スイッチを備え当該スイッチに対応させて固有のアドレスが設定された操作端末器と、負荷への電源供給を入切するリレーを備え当該リレーに対応させて固有のアドレスが設定された制御端末器と、各端末器が信号線を介して接続され各端末器との間で時分割多重伝送方式により伝送信号を授受し、スイッチが操作されたときに操作端末器から受け取る監視データに基いてリレーを制御する制御データを生成するとともに、操作されたスイッチに対し予め対応関係が設定されたリレーを有する制御端末器へ上記制御データを伝送する伝送制御装置とを備えた遠隔監視制御システムも提供されている。
【特許文献１】特開２００２−３６９２６７号公報（段落［００１３］−［００２８］、及び、第２図）
【発明の開示】
【発明が解決しようとする課題】
【０００４】
上述した遠隔監視制御システムでは、リレーを内蔵した制御端末器の寿命は、リレーの開閉回数に大きく依存するのであるが、従来のシステムは、制御端末器の内蔵するリレーの開閉回数を計数する手段を備えていないため、制御端末器の使用期間からおおよその開閉回数を推定し、制御端末器の交換時期を予測していた。したがって、開閉回数が寿命回数に達するよりも前に制御端末器を交換したために不経済になったり、開閉回数が寿命回数に達した後もしばらくの間、制御端末器を使い続けてしまう可能性があった。
【０００５】
本発明は上記問題点に鑑みて為されたものであり、その目的とするところは、制御端末器が内蔵するリレーの現在の開閉回数を確認することができる遠隔監視制御システムを提供することにある。
【課題を解決するための手段】
【０００６】
上記目的を達成するために、請求項１の発明は、スイッチを備えスイッチに対応させて固有のアドレスが設定された操作端末器と、負荷への電源供給を入切するリレーを備えリレーに対応させて固有のアドレスが設定された制御端末器と、各端末器が信号線を介して接続され各端末器との間で時分割多重伝送方式により伝送信号を授受し、スイッチが操作されたときに操作端末器から受け取る監視データに基いてリレーを制御する制御データを生成するとともに、操作されたスイッチに対し予め対応関係が設定されたリレーを有する制御端末器へ制御データを伝送する伝送制御装置と、各端末器にそれぞれ設定されるアドレスデータを各端末器の外部からワイヤレス信号によって与え、各端末器に設けた書き換え可能なアドレス記憶部にアドレスデータを格納させるアドレス設定器とを備える遠隔監視制御システムであって、制御端末器に、ワイヤレス信号を受信する第１のワイヤレス受信部と、ワイヤレス信号を送信する第１のワイヤレス送信部と、内蔵するリレーの開閉回数を計数する計数部と、ワイヤレス信号により送信されたアドレスデータの確認要求を第１のワイヤレス受信部が受信するとアドレス記憶部に格納されたアドレスデータとともに計数部の計数した開閉回数を第１のワイヤレス送信部から送信させる第１の送信制御部とを設けるとともに、アドレス設定器に、ワイヤレス信号を受信する第２のワイヤレス受信部と、ワイヤレス信号を送信する第２のワイヤレス送信部と、表示画面を有する表示器と、アドレスデータの確認操作を行うための操作部と、当該操作部の操作に応じて第２のワイヤレス送信部からアドレスデータの確認要求をワイヤレス信号により送信させる第２の送信制御部と、ワイヤレス信号により送信されたアドレスデータおよび開閉回数を第２のワイヤレス受信部が受信すると受信したアドレスデータおよび開閉回数を表示器に表示させる表示制御部とを設けたことを特徴とする。
【０００７】
請求項２の発明は、請求項１の発明において、制御端末器の器体の表面に寿命確認スイッチと寿命表示ランプとを設けるとともに、寿命確認スイッチの操作に応じて寿命表示ランプに駆動電流を供給するランプ駆動部を制御端末器に設け、ランプ駆動部は、開閉回数が所定の基準値を越えると、表示ランプが点滅する頻度を切り換える制御か、又は、表示ランプの点滅状態と点灯状態を切り換える制御の何れかを行うことを特徴とする。
【発明の効果】
【０００８】
請求項１の発明によれば、アドレス設定器を用いて制御端末器に設定されたアドレスの確認を行う際に、制御端末器の第１のワイヤレス受信部がアドレスデータの確認要求を受信すると、第１の送信制御部がアドレスデータとともに計数部の計数した現在の開閉回数を第１のワイヤレス送信部から送信させており、アドレス設定器では、表示制御部が、第２のワイヤレス受信部の受信したアドレスデータおよび開閉回数を表示器に表示させているので、メンテナンス時などにアドレス設定器を用いて制御端末器のアドレスを確認する際に、この制御端末器に内蔵されたリレーの開閉回数を同時に確認することができるから、現在の開閉回数をもとに制御端末器の交換時期をより正確に推測することができるという効果がある。また、制御端末器の交換時期をより正確に推測することで、制御端末器の交換計画が立てやすく、交換のための予算立てに役立つという効果もある。また更に、ある程度の期間使用したシステムにおいて、予算の都合上、一度に全ての制御端末器を交換できない場合、リレーの現在の開閉回数を、制御端末器を至急交換する必要があるか否かを判断する材料とすることができ、リレーの開閉回数が比較的少ない制御端末器は交換時期を遅らせることで、制御端末器の交換時期をずらして、制御端末器の交換に必要な経費を小分けにすることができるという効果もある。また、使用者に対してリレーの正確な開閉回数を把握させることで、システム全体を更新することについて検討を促すこともできる。また、市場において制御端末器の動作不良などが発生した場合、リレーの開閉回数をもとに、動作不良の原因がリレーの寿命によるものか否か判断することが可能になる。
【０００９】
請求項２の発明によれば、アドレス設定器が手元に無い場合でも、制御端末器の表面に設けられた確認スイッチを操作すれば、ランプ駆動部が表示ランプに駆動電流を供給して表示ランプを点滅又は点灯させており、ランプ駆動部では、開閉回数が所定の基準値を越えると、表示ランプが点滅する頻度を切り換える制御か、又は、表示ランプの点滅状態と点灯状態を切り換える制御の何れかを行っているので、表示ランプの表示から現在の開閉回数と基準値との高低を把握でき、制御端末器の寿命をある程度把握できるという効果がある。
【発明を実施するための最良の形態】
【００１０】
以下に本発明の実施の形態を図１〜図６に基づいて説明する。
【００１１】
本発明に係る制御端末器およびアドレス設定器は遠隔監視制御システムに用いられるものであり、先ず遠隔監視制御システムについて図５および図６に基づいて説明する。図５は遠隔監視制御システムのシステム構成図であり、２線式の信号線Ｌｓの一端に伝送制御装置１が接続され、信号線Ｌｓには複数台の操作端末器２および制御端末器３が分岐接続されている。操作端末器２はスイッチＳＷを備え、スイッチＳＷの操作を監視している。また、制御端末器３は、照明負荷のような負荷５と電源６との直列回路が両端間に接続されるリレー３１を内蔵し、伝送制御装置１からの制御データに応じてリレー３１をオン／オフすることで、負荷５のオン／オフを制御する。
【００１２】
伝送制御装置１は、図６（ａ）に示すような形式を有した伝送信号Ｖｓを送出することにより、各端末器２，３との間でデータを授受する。すなわち、伝送信号Ｖｓは、信号の送出開始を示すスタートパルスＳＴ、信号のモードを示すモードデータＭＤ、各端末器２，３を個別に認識するためのアドレスデータＡＤ、負荷５への制御内容を示す制御データＣＤ、伝送誤りを検出するチェックサムデータのようなエラー訂正符号ＣＳ、端末器２，３からの返送期間を設定する信号返送期間ＷＴよりなる双極性（±２４Ｖ）の時分割多重信号であり、パルス幅変調によってデータが伝送される（図６（ｂ）参照）。各端末器２，３では、信号線Ｌｓを介して受信された伝送信号ＶｓのアドレスデータＡＤがあらかじめ設定されているアドレスデータと一致したときに、その伝送信号Ｖｓの制御データＣＤを取り込むとともに、伝送信号Ｖｓの信号返送期間ＷＴに同期して監視データを電流モード信号（信号線Ｌｓの線間を適当な低インピーダンスを介して短絡することで送出される信号）として返送するようになっている。 
【００１３】
一方、伝送制御装置１には、ダミー信号送信手段と、割込み処理手段とが設けられている。ダミー信号送信手段は、モードデータＭＤをダミーモードとしてアドレスデータＡＤをサイクリックに変えた伝送信号Ｖｓを常時送出する。また割込み処理手段では、操作端末器２でのスイッチＳＷの操作によってダミーモードの伝送信号ＶｓのスタートパルスＳＴに同期して操作端末器２から図６（ｃ）に示すような割込み信号Ｖｉが発生したときに、スイッチＳＷを備える操作端末器２を一括してアクセスすることによって、割込み信号Ｖｉを発生した操作端末器２に操作データとともにアドレスデータを監視データとして返送させるようになっている。 
【００１４】
伝送制御装置１では、上述のようにして操作端末器２からのアドレスデータを受け取ると、アドレスデータによる対応関係があらかじめ設定されている制御端末器３への制御データＣＤを監視データに基づいて作成し、信号線Ｌｓを介して時分割多重伝送する。而して、指定された制御端末器３が、伝送信号に含まれる制御データＣＤに応じて内蔵するリレー３１をオン又はオフさせることにより、制御端末器３に接続されている負荷５のオン／オフが制御されるのである。 
【００１５】
ところで、この種の遠隔監視制御システムでは、各端末器２，３にアドレスデータを設定する必要があり、従来はディップスイッチなどの機械的スイッチを用いてアドレスデータを設定していたが、アドレスデータの設定作業が面倒であり、また機械的スイッチは接触不良などを生じて信頼性が低いものであるから、最近ではＥＥＰＲＯＭのような不揮発性メモリを用いたアドレス記憶部にアドレスデータを格納する構成が採用されている。この場合、図５に示すようにアドレスデータの設定にはワイヤレス式のアドレス設定器４を用い、設定対象の操作端末器２又は制御端末器３の外部からワイヤレス信号によってアドレスデータを設定することが提案されている。アドレス設定器４により各端末器２，３にアドレスデータを設定するには、まずアドレスデータを設定しようとする所望の端末器２，３にアドレス設定器４を近付け、端末器２，３との間でワイヤレス通信を行うことによって端末器２，３に現在設定されているアドレスデータを取得し、液晶ディスプレイのような表示器４１に表示させるとともに、アドレス設定器４に設けた操作部４２を用いてアドレスデータを所望のアドレスに変更した後、変更後のアドレスデータをワイヤレス信号により設定対象の端末器２，３へ送出することで、当該端末器２，３のアドレスデータを変更するようになっている。
【００１６】
次に本発明の特徴部分である制御端末器３およびアドレス設定器４について図１〜図４に基づいて説明する。尚、伝送制御装置１および操作端末器２は従来周知の遠隔監視制御システムに使用されるものと同様の構成を有しているので、その説明は省略する。
【００１７】
制御端末器３は、図１（ｂ）に示すようにリレー３１と、後述する制御部３７からの制御信号に応じてリレー３１をオン／オフさせるリレー駆動部３２と、リレー３１の開閉回数をカウントする計数部３３と、信号線Ｌｓを介して伝送制御装置１に接続され、伝送制御装置１との間で多重伝送信号を授受する伝送処理部３４と、信号線Ｌｓを介して入力される双極性の伝送信号を全波整流することによって内部の動作電源を得る電源部３５と、発光ダイオードのような発光素子を具備して例えば光信号からなるワイヤレス信号を送信する第１のワイヤレス送信部（以下、ワイヤレス送信部と略称す。）３６ａ、および、フォトダイオードのような受光素子を具備して例えば光信号からなるワイヤレス信号を受信する第１のワイヤレス受信部（以下、ワイヤレス受信部と略称す。）３６ｂからなり、外部との間で光信号からなるワイヤレス信号を授受するワイヤレス送受信部３６と、例えばマイクロコンピュータにより構成される制御部３７と、例えばＲＡＭやＲＯＭなどからなり制御部３７の動作プログラムや演算データなどを記憶するメモリ３８と、自己に割り当てられたアドレスデータを記憶するアドレス記憶部３９と、制御端末器３で開閉回数の確認操作を行うための寿命確認スイッチＳＷと、寿命確認スイッチＳＷが操作されると開閉回数に応じた点滅周期で点滅するか又は点灯あるいは消灯したままとなる寿命表示ランプＬａとを備えている。なおアドレス記憶部３９は、制御端末器３への電源供給が停止された状態でもアドレスデータを記憶保持できるようにＥＥＰＲＯＭなどの不揮発性の書き換え可能なメモリを用いているが、バックアップ電源を備えたＲＡＭで構成しても良い。
【００１８】
そして、図２に示すように制御端末器３の器体３０の前面にはワイヤレス送受信部３６の受発光部が配置されるとともに、寿命確認スイッチＳＷの操作部が配置され、さらに寿命表示ランプＬａが外部より発光を視認可能な状態で配置されている。
【００１９】
ここにおいて、図１（ｂ）および図５ではリレー３１を１回路しか備えていないが、実際にはリレー３１を１乃至複数回路（例えば４回路）備えており、計数部３３では各々の回路毎にリレー３１の開閉回数を計数し、個々のリレー３１の計数値を不揮発性のメモリ（図示せず）に個別に格納している。また、本実施形態では制御端末器３がリレー３１を内蔵しているが、制御端末器３とは別体に形成されたリモコンリレー（図示せず）のオン／オフを制御端末器３が制御するようにし、このリモコンリレーの開閉回数を計数部３３により計数し、不揮発性のメモリに記憶させるようにしても良い。
【００２０】
一方、アドレス設定器４は、図１（ａ）および図３に示すように液晶ディスプレイよりなる表示器４１と、複数個のスイッチＳ１〜Ｓ４８よりなる操作部４２と、
発光ダイオードのような発光素子を具備して例えば光信号からなるワイヤレス信号を送信する第２のワイヤレス送信部（以下、ワイヤレス送信部と略称す。）４３ａ、および、フォトダイオードのような受光素子を具備して例えば光信号からなるワイヤレス信号を受信する第２のワイヤレス受信部（以下、ワイヤレス受信部と略称す。）４３ｂからなり、外部との間で光信号からなるワイヤレス信号を授受するワイヤレス送受信部４３と、例えばマイクロコンピュータにより構成される制御部４４と、例えばＲＡＭやＲＯＭなどからなり制御部４４の動作プログラムや演算データなどを記憶するメモリ４５と、各端末器２，３に設定したアドレスデータなどを記憶する設定データ記憶部４６と、電池を電源として内部回路に動作電源を供給する電源部４７とを備えている。なお設定データ記憶部４６は、図示しない電源スイッチをオフ操作して電源部４７から各部への電源供給を停止した場合でも、データを記憶保持できるようにＥＥＰＲＯＭなどの不揮発性の書き換え可能なメモリを用いているが、電源スイッチをオフ操作した場合でも記憶内容が保持されるように電源バックアップを行ったＲＡＭなどでも良い。
【００２１】
図３に示すようにアドレス設定器４の器体４０は扁平な直方体状であって、片手で把持可能な大きさおよび重量に形成されており、作業者が各端末器２，３の設置場所までアドレス設定器４を容易に持ち運んで、使用することができるようになっている。そして、器体４０の一表面（前面）には表示器４１が長手方向一端側（表示器４１が配置された側）に配置され、操作部４２を構成する複数のスイッチＳ１〜Ｓ４８が表示器４１の下側に配列されている。また器体４０の長手方向一端部には、ワイヤレス送受信部４３で授受されるワイヤレス信号（赤外線のような光信号）を透過させる透過窓４３ｃが設けられており、この透過窓に臨むようにワイヤレス送受信部４３が配置されている。すなわち、操作部４２を手前側にして器体４０を片手で把持すると、ワイヤレス信号を透過させる透過窓４３ｃが前方に位置するようになっている。
【００２２】
ここで、操作部４２を構成するスイッチとしては、各端末器２，３に設定した内容を確認するときに使用する確認スイッチＳ１と、表示器４１の画面中に表示されたカーソルを改行（行送り）するときに使用する改行スイッチＳ２と、表示器４１に表示された設定内容を各端末器２，３に設定するときに使用する設定スイッチＳ３と、制御の種別（例えば個別制御、調光制御、グループ制御、パターン制御）を入力するスイッチ（「個別」、「調光」、「Ｇ」、「Ｐ」）Ｓ１１〜Ｓ１４と、アドレス値を入力するために用いるテンキーなどのスイッチＳ２０〜Ｓ３０と、アドレスデータを昇順に発生させて順番に設定するときに使用する順送り設定スイッチＳ３１、昇順に発生させているアドレスデータを飛ばして次のアドレスデータを発生させるアドレスクリアスイッチＳ３２と、表示器４１のバックライトを点灯させるときに使用するバックライトスイッチＳ３３（バックライトはキー入力が一定時間（例えば１分）無ければ自動的に消灯する）と、タイマ制御のうちオフディレイ制御と一時オン制御とを選択するスイッチ（「遅れ」、「一時」）Ｓ４１，Ｓ４２と、タイマ制御の時間を３０秒、１分、５分、６０分、１２０分のうちから選択するスイッチＳ４４〜Ｓ４８と、タイマ制御の設定内容を消去するためのスイッチＳ４３とを備えている。これらのスイッチＳ１〜Ｓ４８は押釦スイッチからなり、その操作部が扁平な器体４０の前面に配列されている。
【００２３】
また表示器４１には、図３に示すように端末器の種別（例えば操作端末器（スイッチ）、接点入力端末器（入力Ｔ／Ｕ）、制御端末器（リレーＴ／Ｕ）、調光端末器（調光Ｔ／Ｕ）など）を示す表示枠４１ａ〜４１ｄが画面上側に左右に並べて配列されている。また表示器４１の画面中央には、機能（制御の種別）を左側の列に、アドレスを中央の列に、タイマ制御の設定を右側の列にそれぞれ表示する表示領域４１ｅが設けられている。
【００２４】
ここで、このアドレス設定器４を使用するにあたっては、アドレス設定器４の電源を入れ、設定対象の端末器２，３のワイヤレス送受信部にアドレス設定器４のワイヤレス送受信部４３を近づけた状態で確認スイッチＳ１を押操作すると、当該端末器２，３の設定内容が読み込まれ、表示器４１に表示される。設定対象の端末器が操作端末器２であれば、操作端末器２に対応する表示枠４１ａ内にバー４１ｆが表示されるとともに、表示領域４１ｅに操作端末器２の個々のスイッチに割り当てられた制御の種別やアドレスやタイマー制御の有無などが表示される。
【００２５】
アドレス設定器４が、設定対象の操作端末器２の情報を取得すると、制御の種別を選択するためにスイッチＳ１１〜Ｓ１４の何れかを押操作した後に、スイッチＳ２０〜Ｓ３０を用いてアドレスを入力し、さらにタイマ制御の設定を行いたい場合は、スイッチＳ４１〜Ｓ４８を用いてタイマ設定を行う。設定内容を確認した後に改行スイッチＳ２を押操作すると、設定内容が設定データ記憶部４６に格納される。以上の設定操作を全てのスイッチについて行った後、設定対象の操作端末器２のワイヤレス送受信部にアドレス設定器４のワイヤレス送受信部３６を近づけた状態で設定スイッチＳ３を押操作すると、設定内容がワイヤレス信号により送信され、操作端末器２のワイヤレス送受信部が設定内容を受信し、アドレス記憶部に記憶させることで、設定内容が登録される。以上のような操作を各端末器２、３に対して行うことで、各端末器２、３のアドレス設定が行えるのである。
【００２６】
ところで、リレーを内蔵する制御端末器３では、内蔵するリレー３１の寿命がその開閉回数に大きく依存するため、本実施形態ではリレー３１の開閉回数を計数する計数部３３を設け、その計数値を不揮発性のメモリ（図示せず）に格納している。ここで、計数部３３により計数されたリレー３１の開閉回数はアドレス設定器４を用いて確認することができる。すなわち、作業者が制御端末器３に内蔵されたリレー３１の開閉回数を確認したい場合、アドレス設定器４のワイヤレス送受信部４３を制御端末器３のワイヤレス送受信部３６に近づけた状態でアドレス設定器４の確認スイッチＳ１を押操作すると、第２の送信制御部としての制御部４４が、確認スイッチＳ１からの入力信号に応じて、制御端末器３にアドレスデータなどの設定内容の送信を要求する確認要求をワイヤレス信号によりワイヤレス送信部４３ａから送信させる。このとき、制御端末器３のワイヤレス受信部３６ｂが、アドレス設定器４からワイヤレス信号によって送信された確認要求を受信し、第１の送信制御部としての制御部３７がこの確認要求に応じてアドレス記憶部３９に設定されている現在の設定内容と、不揮発性メモリに格納されている計数部３３の計数値とを読み込み、読み込んだ設定内容と計数部３３の計数値とをワイヤレス送信部３６ａから送信させる。そして、アドレス設定器４のワイヤレス受信部４３ｂが、制御端末器３からワイヤレス信号によって送信された設定内容と計数部３３の計数値とを受信すると、表示制御部としての制御部４４が、受信した設定内容と計数部３３の計数値とを表示器４１に表示させており、作業者は表示器４１の表示から制御端末器３に内蔵されたリレー３１の開閉回数を容易に確認することができる。
【００２７】
図４（ｂ）は従来のアドレス設定器４を用いて制御端末器３の現在の設定内容を確認した場合の表示画面を示しており、制御端末器３に対応する表示枠４１ｃ内にバー４１ｆが表示されるとともに、表示領域４１ｅに４回路分のリレー３１の制御種別とアドレスとが表示されているが、制御端末器３の場合にはタイマー制御の内容を表示する表示欄４１ｇは使用せず、空欄となっている。したがって、本実施形態のアドレス設定器４では、タイマー制御の内容を表示するための表示欄４１ｇをリレー３１の開閉回数を表示するための表示欄として使用しており、図４（ａ）に示すように表示領域４１ｅに４回路分のリレー３１の制御種別とアドレスと開閉回数とを並べて表示してある。
【００２８】
このように、アドレス設定器４を用いて制御端末器３に設定されたアドレスなどの確認を行う際に、制御端末器３のワイヤレス受信部３６ｂがアドレスデータの確認要求を受信すると、制御部３７がアドレスデータとともに計数部３３の計数した現在の開閉回数をワイヤレス送信部３６ａから送信させており、アドレス設定器４では制御部４４が、ワイヤレス受信部３６ｂの受信したアドレスデータおよび開閉回数を表示器４１に表示させているので、メンテナンス時などにアドレス設定器４を用いて制御端末器３のアドレスを確認する際に、この制御端末器３が内蔵するリレー３１の開閉回数を同時に確認することができる。したがって、リレー３１の現在の開閉回数をもとに制御端末器３の交換時期をより正確に推測することができるという効果がある。また、制御端末器３の交換時期をより正確に推測することで、制御端末器３の交換計画が立てやすくなり、交換のための予算立てに役立つという効果もある。また更に、ある程度の期間使用したシステムにおいて、予算の都合上、一度に全ての制御端末器３を交換できない場合、リレー３１の開閉回数をもとに制御端末器３を至急交換する必要があるか否かを判断することができ、リレー３１の開閉回数が比較的少ない制御端末器３は交換時期を遅らせることで、制御端末器３の交換時期をずらして、制御端末器３の交換に必要な経費を小分けにすることができる。また、リレー３１の開閉回数を容易に確認できるので、システム全体を更新することについて使用者に検討を促すこともできる。また市場において制御端末器３の動作不良などが発生した場合、内蔵するリレー３１の開閉回数から、動作不良の原因がリレー３１の寿命によるものか否かを容易に判断することができる。
【００２９】
ところで、本実施形態ではアドレス設定器４が無い場合でも制御端末器３の内蔵リレー３１の開閉回数を確認できるように、制御端末器３の前面にタクトスイッチからなる寿命確認スイッチＳＷと、発光ダイオードのような寿命表示ランプＬａとを設けている（図１（ｂ）および図２参照）。ここで、作業者が制御端末器３の寿命確認スイッチＳＷを押操作すると、ランプ駆動部としての制御部３７が、寿命確認スイッチＳＷからの操作入力に基づいて、不揮発性メモリから計数部３３の計数値を読み込み、計数値に応じた点滅周期で寿命表示ランプＬａを点滅させるか、又は、寿命表示ランプＬａを点灯あるいは消灯させている。ここに、本実施形態では制御部３７が、例えば現在の開閉回数の寿命回数に対する割合に応じて寿命表示ランプＬａの点灯、消灯、点滅を切り換えており、寿命回数に対する割合が８０％未満であれば寿命表示ランプＬａを消灯させ、寿命回数に対する割合が８０％以上９０％未満であれば寿命表示ランプＬａを１０秒間だけ１０秒間に１０回の割合で点滅させ、寿命回数に対する割合が９０％以上１００％未満であれば寿命表示ランプＬａを１０秒間だけ１０秒間に３０回の割合で点滅させ、寿命回数に対する割合が１００％以上であれば寿命表示ランプＬａを１０秒間点灯させるようにしている。このように、現在の開閉回数の寿命回数に対する割合（すなわち開閉回数）が所定の基準値を越えると、寿命表示ランプＬａを消灯状態から点滅状態に切り換えたり、点滅周期を変化させたり、あるいは点滅状態から点灯状態に切り換えているので、アドレス設定器４が無い場合でも、寿命表示ランプＬａの表示から現在の開閉回数と基準値との高低を把握することができ、制御端末器３の寿命をある程度の範囲で把握することができるという効果がある。
【００３０】
なお、本発明の精神と範囲に反することなしに、広範に異なる実施形態を構成することができることは明白なので、この発明は、特定の実施形態に制約されるものではない。
【図面の簡単な説明】
【００３１】
【図１】本実施形態を示し、（ａ）はアドレス設定器のブロック図、（ｂ）は制御端末器のブロック図である。
【図２】同上の制御端末器およびアドレス設定器の説明図である。
【図３】同上のアドレス設定器の正面図である。
【図４】（ａ）は同上のアドレス設定器の表示画面の例図、（ｂ）は従来の表示画面の例図である。
【図５】同上を用いた遠隔監視制御システムのシステム構成図である。
【図６】（ａ）〜（ｃ）は同上に用いる伝送信号の説明図である。
【符号の説明】
【００３２】
１  伝送制御装置
２  操作端末器
３  制御端末器
４  アドレス設定器
５  負荷
６  電源
３１  リレー
３３  計数部
３６ａ  ワイヤレス送信部（第１のワイヤレス送信部）
３６ｂ  ワイヤレス受信部（第２のワイヤレス受信部）
３７  制御部（第１の送信制御部、ランプ駆動部）
３９  アドレス記憶部
４１  表示器
４２  操作部
４３ａ  ワイヤレス送信部（第２のワイヤレス送信部）
４３ｂ  ワイヤレス受信部（第２のワイヤレス受信部）
４４  制御部（第２の送信制御部、表示制御部）
ＳＷ  寿命確認スイッチ
Ｌａ  寿命表示ランプ
Ｌｓ  信号線
【図１】
2008085506.tif 000003
【図２】
2008085506.tif 000004
【図３】
2008085506.tif 000005
【図４】
2008085506.tif 000006
【図５】
2008085506.tif 000007
【図６】
2008085506.tif 000008